(57)【要約】
【課題】　ライターの操作機能を損なうことなく、ライターに風防機能を付加する。
【解決手段】　燃料タンク１１の頭部に設けた着火機構１０の前後に炎長調節部材１４及び着火レバー１３を配したライターＬと、上記ライターが挿入されるべき筒状のケース本体１と、ケース本体のライターの前方側が位置する箇所に上下摺動自在に取り付けられる風防部材４からなり、ケース本体の風防部材取り付け側の上端から下方中途に向かって切り欠くことにより、挿入されるライターの着火機構とタンクの一部が露出する本体側窓部２を設けると共に、風防部材にその下降位置においてライターのタンクが、上昇位置において同じく炎長調節部材が露出する風防部材側窓部５を設ける。
【選択図】　　　図２
0003099893.tif 000002
【実用新案登録請求の範囲】
【請求項１】
　燃料タンクの頭部に設けた着火機構の前後に炎長調節部材及び着火レバーを配したライターと、上記ライターが挿入されるべき筒状のケース本体と、上記ケース本体のライターの前方側が位置する箇所に上下摺動自在に取り付けられる風防部材からなる風防付きライターにおいて、ケース本体を風防部材取り付け側の上端から下方中途に向かって切り欠くことにより、挿入されるライターの着火機構とタンクの一部が露出する本体側窓部を設けると共に、風防部材の前方側にその下降位置においてライターのタンクが、上昇位置において同じく炎長調節部材が露出する風防部材側窓部を設けたことを特徴とする風防付きライター。
【請求項２】
　ケース本体を胴回り方向に抱持すべき縦割り筒状とした風防部材の開口端の内側に突設した一対の突条を、ケース本体の本体側窓部の開口端の外側に向けて設けた一対の長溝内に摺嵌することにより、風防部材をケース本体に上下摺動自在に外嵌した請求項１記載の風防付きライター。
【請求項３】
　燃料タンクの頭部に設けた着火機構の前後に炎長調節部材及び着火レバーを配したライターが挿入されるべき筒状のケース本体と、上記ケース本体のライターの前方側が位置する箇所に上下摺動自在に取り付けられる風防部材からなるライター用アダプターにおいて、ケース本体を風防部材取り付け側の上端から下方中途に向かって切り欠くことにより、挿入されるライターの着火機構とタンクの一部が露出する本体側窓部を設けると共に、風防部材の前方側にその下降位置においてライターのタンクが、上昇位置において同じく炎長調節部材が露出する風防部材側窓部を設けたことを特徴とするライター用アダプター。　　
【請求項４】
　ケース本体を胴回り方向に抱持すべき縦割り筒状とした風防部材の開口端の内側に突設した一対の突条を、ケース本体の本体側窓部の開口端の外側に向けて設けた一対の長溝内に摺嵌することにより、風防部材をケース本体に上下摺動自在に外嵌した請求項３記載のライター用アダプター。
【考案の詳細な説明】
【技術分野】
【０００１】
　この考案は、炎を外風から遮る風防機能を有するライター及びライター用アダプターに関する。
【背景技術】
【０００２】
　簡易な外装からなる、所謂「使い捨てライター」と呼ばれているライターが広く普及している。この種のライターは棒状のタンクの頭部に、上端にノズル孔を配した着火機構を設けた基本構成を有し、着火機構の前後に炎長調節部材及び着火レバーが設けられると共に、タンクは収容した燃料の残量を視認できるように半透明又は透明に構成されている。　　　
【０００３】
　この種のライターは最低限の外装を有するのみなので、その体裁を高めるために、着火操作部及びノズルを上部に露出した状態でライターを筒状のケース内に収容するライター用アダプターが従来提案されており、アダプター付きライター或いはアダプター単体で販売されている。
【０００４】
　一方、最低限の外装しか有しない使い捨てライターにおいては、通常のライターのように風防を兼ねる蓋を有しないので、風が強い屋外での使用に支障を来す問題があった。そこで、この問題を解消するためにケースに風防機能を持たせた考案が提案されていた。
【０００５】
　特許文献１の従来技術のライターアダプターにおいては、筒状のケース内に金属製の風防部材を上下摺動自在に挿入し、ケースに風防部材の背部が露出する窓部を穿設することにより、使用者においてケースの窓部から露出した風防部材を親指の腹等により上下動する構成としていた。又、特許文献２の従来技術のライターアダプラーにおいては、ライターを筒状のケース内に収容すべきケースにおいて、ケース外側の胴箇所にケースを胴回り方向に抱持すべき縦割り筒状の風防部材を上下動自在に外嵌することにより、上昇させた風防部材によりノズルからの炎の周囲の一部を覆う構成としていた。
【特許文献１】実公平１−４１０７号公報
【特許文献２】特開２０００−２８３４６１号公報
【考案の開示】
【考案が解決しようとする課題】
【０００６】
　以上の従来技術は使い捨てライターの体裁を高めると共に風防機能を実現する点において画期的な考案であった。しかしながら、ライターをケース内に収容してしまうので、アダプターを使用した状態だと、ライターの燃料の残量を視認したり炎長調節部材を操作することができなくなる問題を生じた。又、風防部材は指先で押し上げたり押し下げたりするが、そのままでは摩擦力以外の何の手がかりもないので時として滑ってこの操作がし難いことがあった。
【課題を解決するための手段】
【０００７】
　この考案は以上の従来技術の問題点を解消した風防付きライター及びライター用アダプターを提供することを目的として創作されたものである。即ち、この考案の風防付きライターは燃料タンクの頭部に設けた着火機構の前後に炎長調節部材及び着火レバーを配したライターと、上記ライター本体が挿入されるべき筒状のケース本体と、上記ケース本体のライターの前方側が位置する箇所に上下摺動自在に取り付けられる風防部材からなる風防付きライターにおいて、ケース本体を風防部材取り付け側の上端から下方中途に向かって切り欠くことにより、挿入されるライターの着火機構とタンクの一部が露出する本体側窓部を設けると共に、風防部材の前方側にその下降位置においてライターのタンクが、上昇位置において同じく炎長調節部材が露出する風防部材側窓部を設けたことを特徴とする。　　　
【０００８】
　又、この考案のライター用アダプターは燃料タンクの頭部に設けた着火機構の前後に炎長調節部材及び着火レバーを配したライターが挿入されるべき筒状のケース本体と、上記ケース本体のライターの前方側が位置する箇所に上下摺動自在に取り付けられる風防部材からなるライター用アダプターにおいて、ケース本体を風防部材取り付け側の上端から下方中途に向かって切り欠くことにより、挿入されるライターの着火機構とタンクの一部が露出する本体側窓部を設けると共に、風防部材の前方側にその下降位置においてライターのタンクが、上昇位置において同じく炎長調節部材が露出する風防部材側窓部を設けたことを特徴とする。
【考案の効果】
【０００９】
　この考案によれば、風防部材の下降時には窓部から露出したライターのタンクを視認して燃料の残量を知ることができ、風防部材の上昇時には窓部から露出したライターの炎長調節部材を操作することが可能となるので、アダプターにライターを収容してもその機能を損なうことが防止される。
【００１０】
　又、指先による風防部材の押し上げ、押し下げにあたっては、風防部材側窓部の上下の縁部が格好の手がかりとなって、スムーズな操作が可能となる。
【考案を実施するための最良の形態】
【００１１】
　以下、この考案の具体的実施例を添付図面に基づいて説明する。図１は、この考案のライター用アダプターの分解斜視図、図２及び図３はこれをライターに装着した状態を示す斜視図である。
【００１２】
　図中符号１はアダプターの本体をなすケース本体である。このケース本体１はこの実施例においてはプラスチックにより成形されるものであり、下方に底を設けると共に上方に開口を設けた筒状に構成され、ライターＬは開口からケース内に挿入・収容される。ライターＬは、棒状のタンク１１の頭部に、上端にノズル孔１２を配した着火機構１０を設けた基本構成を有し、着火機構の前後に炎長調節部材１４及び着火レバー１３が設けられると共に、タンクは収容した燃料の残量を視認できるように半透明又は透明に構成される公知の使い捨てライターである。
【００１３】
　図中符号２はケース本体１のライターＬの前方側が位置する箇所に設けられる本体側窓部であり、ケース本体の上端から下方中途に向かって前方部分を切り欠くことにより、挿入されるライターの着火機構１０とタンク１１の一部が露出するよう構成される。
【００１４】
　図中符号４は、ケース本体１のライターＬの前方側が位置する箇所に上下摺動自在に外嵌されることにより、上昇時にライターＬのノズル１２からの炎の周囲の一部を覆う風防部材であり、ケース本体１を胴回り方向に抱持すべき縦割り筒状に構成される。この風防部材４は復元性を有する素材により構成されると共に、胴回り方向の開口部を胴箇所より幅狭に絞り込むことにより、開口端がケース本体１を胴回り方向に抱持するようにしている。この実施例においては、風防部材４の胴回り方向の開口端の内側に一対の突条６、６を突設すると共に、これと対応してケース本体１の本体側窓部２の開口端の外側に向けて一対の長溝３、３を設け、抱持による圧接力を伴って風防部材の開口端の一対の突条６、６がケース本体の本体側窓部の開口端の一対の長溝３、３に摺嵌するようにしている。
【００１５】
　図中符号５は風防部材４の下方側前方に設けられる風防部材側窓部であり、風防部材の下降位置においてライターＬのタンク１１の一部が露出し（図３の状態）、同じく上昇位置において炎長調節部材１４が露出するよう（図２の状態）設けられる。
【００１６】
　尚、風防部材４は不燃性を有することが望ましく、これにこの実施例で要請される復元性を加味した場合、素材として金属又は耐熱性に富んだプラスチックが想定されるが、この実施例においては上昇時に炎を覆う頂部箇所の内周側に熱伝導の極端に少ない断熱部材６を設けることにより、風防部材の熱損傷と熱伝導による使用者の火傷を防止している。
【図面の簡単な説明】
【００１７】
【図１】この考案のライター用アダプターの分解斜視図。
【図２】この考案のライター用アダプターをライターに装着して風防部材を上昇させた状態の斜視図。
【図３】この考案のライター用アダプターをライターに装着して風防部材を下降させた状態の斜視図。
【符号の説明】
【００１８】
　　Ｌ　　　　ライター
　　１　　　　ケース本体
　　２　　　　本体側窓部
　　４　　　　風防部材
　　５　　　　風防部材側窓部
　　１０　　　着火機構
　　１１　　　燃料タンク
　　１２　　　ノズル
　　１３　　　着火レバー
　　１４　　　炎長調節部材
【図１】
0003099893.tif 000003
【図２】
0003099893.tif 000004
【図３】
0003099893.tif 000005